(57)【特許請求の範囲】
【請求項１】
互いに関連するＬＴＣ（Linear Time Code）とＶＩＴＣ（Vertical Interval Time Code）とを同時に伝送するタイムコード伝送方法であって、
タイムコードを送信する際の前処理工程として、
前記ＬＴＣから被検算用情報を読み出し、読み出した被検算用情報を用いて検算データを作成する工程と、
前記検算データを前記ＶＩＴＣに重畳する工程と、
を含み、
タイムコードを受信した後の後処理工程として、
受信した前記ＬＴＣから前記被検算用情報に相当する被照合用情報を読み出し、読み出した被照合用情報を用いて照合データを作成する工程と、
受信後の前記ＶＩＴＣから前記検算データを読み出し、読み出した前記検算データと前記照合データとを照合することで、受信した前記ＬＴＣの誤りの有無を検証する工程と、
とを含むことを特徴とするタイムコード伝送方法。
【請求項２】
請求項１に記載のタイムコード伝送方法であって、
タイムコードを送信する際の前処理工程においては、前記ＬＴＣ上に予め設定した読み出し位置から前記被検算用情報を読み出すとともに、前記ＬＴＣ上の前記読み出し位置に相当する前記ＶＩＴＣ上の挿入位置に前記検算データを重畳し、
タイムコードを受信した後の後処理工程においては、受信した前記ＬＴＣにおける前記読み出し位置から前記被照合用情報を読み出す、
ことを特徴とするタイムコード伝送方法。
【請求項３】
請求項２に記載のタイムコード伝送方法において、
前記読み出し位置をフレーム毎に設定する、
ことを特徴とするタイムコード伝送方法。
【請求項４】
請求項２または３に記載のタイムコード伝送方法において、
前記被検算用情報を前記読み出し位置毎に複数読み出したうえで、読み出した複数の被検算用情報を予め設定した算式に基づいて演算処理することで、前記検算データを作成し、
前記被照合用情報を前記読み出し位置毎に複数読み出したうえで、読み出した複数の被照合用情報を前記算式と同一の算式に基づいて演算処理することで、前記照合データを作成する、
ことを特徴とするタイムコード伝送方法。
【請求項５】
請求項１ないし４のいずれかに記載のタイムコード伝送方法において、
前記被検算用情報と前記被照合用情報とを、前記ＬＴＣのユーザーズビットから読み出す、
ことを特徴とするタイムコード伝送方法。
【請求項６】
互いに関連するＬＴＣ（Linear Time Code）とＶＩＴＣ（Vertical Interval Time Code）とを同時に伝送するタイムコード伝送装置であって、
送信器と受信器とを備えており、
前記送信器は、
前記ＬＴＣから被検算用情報を読み出し、読み出した被検算用情報を用いて検算データを作成する検算データ作成手段と、
前記検算データを前記ＶＩＴＣに重畳する重畳手段と、
を有しており、
前記受信器は、
受信した前記ＬＴＣから前記被検算用情報に相当する被照合用情報を読み出し、読み出した被照合用情報を用いて照合データを作成する照合データ作成手段と、
受信後の前記ＶＩＴＣから前記検算データを読み出し、読み出した前記検算データと前記照合データとを照合することで、受信した前記ＬＴＣの誤りの有無を検証する検証手段と、
とを有していることを特徴とするタイムコード伝送装置。
【請求項７】
請求項６に記載のタイムコード伝送装置であって、
前記検算データ作成手段は、前記ＬＴＣ上に予め設定した読み出し位置から前記被検算用情報を読み出すものであり、
前記重畳手段は、前記ＬＴＣ上の前記読み出し位置に相当する前記ＶＩＴＣ上の挿入位置に前記検算データを重畳するものであり、
前記照合データ作成手段は、受信した前記ＬＴＣにおける前記読み出し位置から前記被照合用情報を読み出すものである、
ことを特徴とするタイムコード伝送装置。
【請求項８】
請求項７に記載のタイムコード伝送方法において、
前記検算データ作成手段と前記照合データ作成手段とは、前記読み出し位置をフレーム毎に設定するものであり、
前記重畳手段は、前記挿入位置をフレーム毎に設定するものである、
ことを特徴とするタイムコード伝送装置。
【請求項９】
請求項７または８に記載のタイムコード伝送装置において、
前記検算データ作成手段は、前記被検算用情報を前記読み出し位置毎に複数読み出したうえで、読み出した複数の被検算用情報を予め設定した算式に基づいて演算処理することで、前記検算データを作成するものであり、
前記照合データ作成手段は、前記被照合用情報を前記読み出し位置毎に複数読み出したうえで、読み出した複数の被照合用情報を前記算式と同一の算式に基づいて演算処理することで、前記照合データを作成するものである、
ことを特徴とするタイムコード伝送装置。
【請求項１０】
請求項６ないし９のいずれかに記載のタイムコード伝送装置において、
前記検算データ作成手段は、前記被検算用情報を前記ＬＴＣのユーザーズビットから読み出すものであり、
前記照合データ作成手段は、前記被照合用情報を前記ＬＴＣのユーザーズビットから読み出すものである、
ことを特徴とするタイムコード伝送装置。
【発明の詳細な説明】
【０００１】
【発明の属する技術分野】
本発明は、映像信号に重畳されるべく作成されたタイムコードを伝送する方法および装置に関する。
【０００２】
【従来の技術】
映像信号に重畳されるタイムコードとしては、バイフェイズマーク変調されて音声周波数帯で記録されるＬＴＣ（Linear Time Code）と、ＮＲＺ変調されて垂直帰線期間に伝送されるＶＩＴＣ（Vertical Interval Time Code）とがある。
【０００３】
【発明が解決しようとする課題】
これらのタイムコードにおいては、再生装置から再生する際や伝送時において、読み出し不良や伝送不良により誤り（データ内容の変化）が生じる場合がある。このような誤りはタイムコードの精度を劣化させる要因となる。そのため、タイムコードにおける誤りの発生は精度高く検出する必要がある。誤りを検出することができれば、そのタイムコードの使用を停止することもできるし、タイムコードに対して所定の処置を加えることで、誤り箇所の修復を図ることも可能となる。
【０００４】
これに対してＶＩＴＣにおいては、データ内に周期性冗長チェックコードであるＣＲＣコード（Cyclic Redundancy check Code）を含んでおり、このＣＲＣコードを用いて誤りの発生を精度高く検出することができる。しかしながら、ＬＴＣにおいて発生した誤りを検出する方法や構成は従来から全く実施されておらず、有効な提案もされていなかった。
【０００５】
したがって、本発明の主たる目的は、ＬＴＣにおいて発生した誤りを有効に検出することができるタイムコードの伝送方法および装置を提供することである。
【０００６】
【課題を解決するための手段】
上述した目的を達成するためには、本発明は、次のような構成を備えている。
【０００７】
請求項１においては、互いに関連するＬＴＣ（Linear Time Code）とＶＩＴＣ（Ver tical Interval Time Code）とを同時に伝送するタイムコード伝送方法であって、
タイムコードを送信する際の前処理工程として、
前記ＬＴＣから被検算用情報を読み出し、読み出した被検算用情報を用いて検算データを作成する工程と、
前記検算データを前記ＶＩＴＣに重畳する工程と、
を含み、
タイムコードを受信した後の後処理工程として、
受信した前記ＬＴＣから前記被検算用情報に相当する被照合用情報を読み出し、読み出した被照合用情報を用いて照合データを作成する工程と、
受信後の前記ＶＩＴＣから前記検算データを読み出し、読み出した前記検算データと前記照合データとを照合することで、受信した前記ＬＴＣの誤りの有無を検証する工程と、
とを含むことに特徴がある。
【０００８】
また、請求項６においては、
互いに関連するＬＴＣ（Linear Time Code）とＶＩＴＣ（Vertical Interval Time Code）とを同時に伝送するタイムコード伝送装置であって、
送信器と受信器とを備えており、
前記送信器は、
前記ＬＴＣから被検算用情報を読み出し、読み出した被検算用情報を用いて検算データを作成する検算データ作成手段と、
前記検算データを前記ＶＩＴＣに重畳する重畳手段と、
を有しており、
前記受信器は、
受信した前記ＬＴＣから前記被検算用情報に相当する被照合用情報を読み出し、読み出した被照合用情報を用いて照合データを作成する照合データ作成手段と、
受信後の前記ＶＩＴＣから前記検算データを読み出し、読み出した前記検算データと前記照合データとを照合することで、受信した前記ＬＴＣの誤りの有無を検証する検証手段と、
とを有していることに特徴がある。
【０００９】
このようにしてタイムコード伝送方法や伝送装置を構成すれば、受信したＬＴＣから作成した照合データと受信後のＶＩＴＣから読み出した記検算データとを照合することで、再生や伝送時等においてＬＴＣ上に生じる誤りを精度高く検証することが可能となる。
【００１０】
この場合、タイムコード伝送方法においては、請求項２に記載したように、タイムコードを送信する際の前処理工程においては、前記ＬＴＣ上に予め設定した読み出し位置から前記被検算用情報を読み出すとともに、前記ＬＴＣ上の前記読み出し位置に相当する前記ＶＩＴＣ上の挿入位置に前記検算データを重畳し、
タイムコードを受信した後の後処理工程においては、受信した前記ＬＴＣにおける前記読み出し位置から前記被照合用情報を読み出すのが好ましい。
【００１１】
同様に、タイムコード伝送装置においては、請求項７に記載したように、
前記検算データ作成手段は、前記ＬＴＣ上に予め設定した読み出し位置から前記被検算用情報を読み出すものであり、
前記重畳手段は、前記ＬＴＣ上の前記読み出し位置に相当する前記ＶＩＴＣ上の挿入位置に前記検算データを重畳するものであり、
前記照合データ作成手段は、受信した前記ＬＴＣにおける前記読み出し位置から前記被照合用情報を読み出すものであるのが好ましい。
【００１２】
以上のように構成すれば、ＬＴＣ上に生じる誤りの有無を、予めＬＴＣ上に設定した読み出し位置に対応して検出することが可能となる。
【００１３】
この場合、請求項３、８に記載したように、前記読み出し位置をフレーム毎に設定すれば、ＬＴＣの誤りの有無をフレーム毎に検証することが可能となる。
【００１４】
さらには、請求項４、９に記載したように、前記読み出し位置毎に前記被検算用情報や被照合用情報を複数読み出したうえで、読み出した複数の情報を予め設定した算式に基づいて演算処理することで、前記検算データや前記照合データを作成すれば、ＬＴＣを構成する複数の情報に生じる誤りを一度に検出することが可能となる。
【００１５】
さらには、請求項５、１０に記載したように、前記被検算用情報と前記被照合用情報とを、前記ＬＴＣのユーザーズビットから読み出すようにすれば、ＬＴＣユーザーズビットにおける誤りの検証が可能となる。
【００１６】
【発明の実施の形態】
以下、本発明の実施形態を図面を参照して説明する。図１は本発明の一実施の形態のタイムコード伝送装置の構成を示すブロック図である。
【００１７】
このタイムコード伝送装置１は、送信器２と受信器３とを備えている。送信器２は、ＬＴＣ発生部４と、ＶＩＴＣ発生部５と、映像補助情報発生部６と、第１重畳部７と、第２重畳部８と、第１被検算用情報読出部９と、検算データ作成部１０と、送信部１１とを備えている。
【００１８】
受信器３は、受信部１２と、第２被検算用情報読出部１３と、照合データ作成部１４と、検算データ読出部１５と、検証部１６と、ＶＩＴＣ誤り検出部１７とを備えている。
【００１９】
ＬＴＣ発生部４は、ＬＴＣを発生させている。ＶＩＴＣ発生部５は、ＶＩＴＣを発生させている。ＬＴＣはＶＩＴＣとは、図示しない映像信号に対応して、それぞれ互いに関連付けされた状態で作成される。映像補助情報発生部６は、映像データにおける各フレームに対応する映像補助情報を発生させている。映像補助情報については後述する。
【００２０】
第１重畳部７は、ＬＴＣに映像補助情報を重畳している。第１被検算用情報読出部９は、ＬＴＣの各フレーム位置から被検算用情報を読み出している。読み出される被検算用情報の詳細については後述する。
【００２１】
検算データ作成部１０は、第１被検算用情報読出部９により読み出された被検算用情報から検算データを作成している。検算データの作成方法については後述する。
【００２２】
第２重畳部８は、映像補助情報と検算データとをＶＩＴＣに重畳している。送信部１１は、ＬＴＣとＶＩＴＣとを受信器３に送信している。送信方法は、特に限定されることはなく、有線による送信でも、無線による送信でもよい。
【００２３】
受信部１２は、送信器２から送信されたＬＴＣとＶＩＴＣとを受信している。第２被検算用情報読出部１３は受信したＬＴＣの各フレーム位置から被照合用情報を読み出している。第２被検算用情報読出部１３による被照合用情報の読み出しは、第１被検算用情報読出部９による被検算用情報の読み出しと同様に実施される。その詳細は後述する。
【００２４】
照合データ作成部１４は第２被検算用情報読出部１３により読み出された被照合用情報を用いて所定の算式に基づいて演算処理することで、照合データを作成している。
【００２５】
検算データ読出部１５は受信したＶＩＴＣから検算データを読み出している。検証部１６は、検算データと照合データとを照合することで、受信したＬＴＣに誤りが発生しているか否かを検証している。ＶＩＴＣ誤り検出部１７は、ＶＩＴＣ中に重畳されているＣＲＣコードを用いた周期性冗長チェックを行うことで、受信したＶＩＴＣ中に誤りが発生しているか否かを検出している。
【００２６】
なお、図中、符号１８は、受信部１２が受信したＬＴＣを受信器３から外部に出力するＬＴＣ出力端子であり、１９は検証部１６の検証結果を受信器３から外部に出力する検証結果出力端子であり、２０は、受信部１２が受信したＶＩＴＣを受信器３から外部に出力するＶＩＴＣ出力端子であり、２１は、ＶＩＴＣ誤り検出部１７の誤り検出結果を受信器３から外部に出力するＶＩＴＣ誤り検出結果出力端子であり、２２は、送信器２側において、発生させたＬＴＣやＶＩＴＣを記録するとともに、送信器２側からの要請によって記録しているＬＴＣやＶＩＴＣを再生して送信器２に出力する記録／再生装置である。
【００２７】
なお、本実施形態では、第１被検算用情報読出部９と検算データ作成部１０とにより検算データ作成手段が構成され、第２重畳部８により重畳手段が構成され、第２被検算用情報読出部１３と照合データ作成部１４とにより照合データ作成手段が構成され、検算データ読出部１５と検証部１６とにより検証手段が構成されている。しかしながら、これらの構成は、本発明を実施する一例であって、本発明は、請求項に記載した機能を発揮できる構成であれば、どのような構成であってもよいのはいうまでもない。
【００２８】
次に映像補助情報について説明する。映像補助情報としては、例えば、有効フレーム情報を挙げることができる。有効フレーム情報とは次のような情報である。任意の映像フォーマットに対応した映像データを、前記任意の映像フォーマットとは１秒当たりのフレーム数が異なる他の映像フォーマットに対応した映像データに変換することがある。このようなフォーマット変換においては、変換によって１秒当たりのフレーム数が増加する場合と、減少する場合とがある。
【００２９】
ここで、１秒当たりのフレーム数が増加するフォーマット変換を実施する場合においては、変換前より変換後の方が、フレームを構成する映像データ（以下、フレーム映像データという）の数が増加する。そのため、変換前のフレーム映像データのうち、少なくとも一つのフレーム映像データは、変換後の映像データにおいて、フレーム映像データとして重複して書き込まれることになる。
【００３０】
このようにしてフォーマット変換した映像データにおいては、重複記録されたフレーム映像データのうち、有効となるフレーム映像データ（重複利用されたデータのうち、記録時の実時間位置に時間的に最近接するフレーム映像データ）を選択的に取り出す必要がある。これは、ノンリニア編集時の記録容量を削減する等の理由に因っている。
【００３１】
このようなフォーマット変換を行う際には、タイムコードに次のような加工がなされる。すなわち、変換後の映像フォーマットに対応するタイムコードにおいて有効フレームに対応するフレーム位置にフラグ情報が重畳記録される。フォーマット変換後の影像データに対応するタイムコードにおいては、有効フレーム情報によって有効フレームが指定される。このフラグ情報が有効フレーム情報である。
【００３２】
以下、本実施形態のタイムコード伝送装置を用いたタイムコードの伝送方法を説明する。
【００３３】
最初に、送信器２が行う工程を説明する。まず、ＬＴＣ発生部４においてＬＴＣを発生させ、ＶＩＴＣ発生部５においてＶＩＴＣを発生させ、さらには映像補助情報発生部６において映像補助情報を発生させる。
【００３４】
そのうえで、第１重畳部７においてＬＴＣに映像補助情報を重畳する。映像補助情報は、ＬＴＣの各フレーム情報に設定されたユーザーズビット（バイナリー群）それぞれに書き込まれることで重畳される。影像補助情報が重畳させたＬＴＣは送信部１１に出力される。
【００３５】
送信部１１に出力されたＬＴＣは第１被検算用情報読出部９にも供給される。第１被検算用情報読出部９では、供給されたＬＴＣから被検算用情報を読み出す。被検算用情報はフレーム毎にＬＴＣから読み出される。ここで、被検算用情報は、例えば次のようにして読み出される。すなわち、被検算用情報は、ＬＴＣの各フレーム情報を構成するデータ群においてその情報単位を構成するビット情報（例えば、データ群の情報単位を構成する４ビット情報）から構成することができる。この場合、第１被検算用情報読出部９は、読み出す被検算用情報の読み出し位置を指定することで、読み出す被検算用情報を特定することができる。さらには第１被検算用情報読出部９は、フレーム毎に複数の被検算用情報を読み出す。以下の説明では、４種類の被検算用情報Ａ〜Ｄがフレーム単位毎にＬＴＣから読み出されると仮定して説明する。
【００３６】
第１被検算用情報読出部９において読み出された被検算用情報Ａ〜Ｄは、検算データ作成部１０に供給される。検算データ作成部１０においては、予め検算式が設定されて記憶されている。検算式としては、加算式，乗算式，除算式等の他、これらの算式を複数組み合わせた複合式といった種々の算式を用いることができる。ここでは、加算式を例にして以下の説明を行う
検算データ作成部１０では、供給される被検算用情報Ａ〜Ｄに対して、記憶している検算式により演算処理を実施する。ここでは、加算式を用いた演算処理により、演算結果（Ａ＋Ｂ＋Ｃ＋Ｄ）が得られると仮定する。
【００３７】
検算データ作成部１０では、その演算結果（Ａ＋Ｂ＋Ｃ＋Ｄ）を検算データとして出力する。検算データはＬＴＣのフレーム毎に出力される。なお、演算した結果、その演算結果（Ａ＋Ｂ＋Ｃ＋Ｄ）のデータ量が大きくなった場合には、その演算結果（Ａ＋Ｂ＋Ｃ＋Ｄ）において下位に位置する数ビット（例えば８ビット）の情報を検算結果としてもよい。
【００３８】
検算データは第２重畳部８に供給される。第２重畳部８では、検算データととともに映像補助情報が供給されており、これら検算データと影像補助情報とをＶＩＴＣに重畳する。検算データは、例えば、映像補助情報とともにＶＩＴＣの各フレーム情報を構成するユーザーズビット（バイナリー群）それぞれに書き込まれることで重畳される。検算データと映像補助情報とが重畳させたＶＩＴＣは送信部１１に出力される。また、ＬＴＣとＶＩＴＣとは必要に応じて記録／再生装置２０に出力されてここで記録される。さらには記録／再生装置２０においては、必要に応じて記録しているＬＴＣとＶＩＴＣとを再生して送信器２（具体的に送信部１１）に出力する。
【００３９】
送信部１１では、送信器２内で発生させたＬＴＣ，ＶＩＴＣや、記録／再生装置２０から供給されたＬＴＣ，ＶＩＴＣを、受信器３に向けて送信する。送信部１１は、ＬＴＣとＶＩＴＣとを互いに対応付けされた状態で送信する。その際、送信状態の不安定さや記録／再生装置２０の再生状態の不安定さ等を原因として、送信されるＬＴＣやＶＩＴＣを構成データに誤りが発生する場合がある。
【００４０】
次に受信器３が行う工程を説明する。
【００４１】
受信器１２で受信したＬＴＣやＶＩＴＣはそのまま受信器３を通過してＬＴＣ出力端子１８やＶＩＴＣ出力端子２０から外部に出力される。その際、ＬＴＣは第２被検算用情報読出部１３に供給され、ＶＩＴＣは検算データ読出部１５とＶＩＴＣ誤り検出部１７とに供給される。
【００４２】
まず、受信したＶＩＴＣの誤り検出方法について説明する。ＶＩＴＣ誤り検出部１７では、受信部１２から入力されたＶＩＴＣからＣＲＣコードを読み出して周期性冗長チェックを実施することで受信したＶＩＴＣ中に誤りが存在するか否かを検出し、その検出結果をＶＩＴＣ誤り検出結果出力端子２１から外部に出力する。
【００４３】
次に、受信したＬＴＣの誤り検出方法を説明する。第２被検算用情報読出部１３では、受信部１２から入力されるＬＴＣから被照合用情報を読み出す。被照合用情報は、ＬＴＣのフレーム毎に読み出される。その際、被照合用情報の読み出し位置を、第１被検算用情報読出部９における被検算用情報の読み出し位置と同一とすることで、被照合用情報のデータ内容を、被検算用情報のデータ内容と実質的に同一にする。以下、第２被検算用情報読出部１３で読み出される被照合用情報をＡ'〜Ｄ'とする。
【００４４】
第２被検算用情報読出部１３において読み出された被照合用情報Ａ'〜Ｄ'は、照合データ作成部１４に供給される。照合データ作成部１４においては、検算データ作成部１０と同一の検算式が予め設定されて記憶されている。照合データ作成部１４では、供給される被照合用情報Ａ'〜Ｄ'に対して、記憶している検算式により演算処理を実施する。ここでは、検算データ作成部１０における上述した説明と同様、加算式を用いた演算処理により、演算結果（Ａ'＋Ｂ'＋Ｃ'＋Ｄ'）が得られると仮定する。
【００４５】
照合データ作成部１４では、その演算結果（Ａ'＋Ｂ'＋Ｃ'＋Ｄ'）を照合データとして検証部１６に出力する。
【００４６】
なお、演算した結果、その演算結果（Ａ'＋Ｂ'＋Ｃ'＋Ｄ'）のデータ量が大きくなった場合には、その演算結果（Ａ'＋Ｂ'＋Ｃ'＋Ｄ'）において下位に位置する数ビット（例えば８ビット）の情報を演算結果としてもよいのは検算データ作成部１０と同様である。ただし、この場合、検算データ作成部１０と照合データ作成部１４とで処理の統一を図る必要があるのはいうまでもない。
【００４７】
一方、検算データ読出部１５では、受信部１２で受信したＶＩＴＣから検算データを読み出す。検算データは、ＶＩＴＣのフレーム毎に読み出される。検算データは送信器２において例えば、ＶＩＴＣのユーザーズビットに書き込まれている。そのため、検算データ読出部１５では受信したＶＩＴＣの検算データ書き込み位置（ユーザーズビット等）から検算データを読み出す。検算データ読出部１５では、読み出した検算データを検証部１６に供給する。
【００４８】
検証部１６では、照合データ作成部１４から供給される照合データと、検算データ読出部１５から供給される検算データとをフレーム毎に照合する。そして、両データが一致する場合には、ＬＴＣのそのフレーム位置には誤りが存在しないと判断する。一方、両データが一致しない場合には、ＬＴＣのそのフレーム位置には何かしらの誤りが存在すると判断する。検証部１６では、その誤り検出結果を、検証結果出力端子１９から受信器３の外部に向けて出力する。
【００４９】
本実施形態のタイムコード伝送装置では、以上説明した誤り検出操作により、伝送後におけるＶＩＴＣとＬＴＣの誤りを検出している。これらの誤り検出のうち、ＶＩＴＣにおける誤り検出は、ＣＲＣコードを用いたものであって、その検出精度は高い。そのため、ＶＩＴＣに誤りが存在しないと判断された場合においては、ＶＩＴＣに重畳したうえで送信後に取り出すＬＴＣの検算データに誤りはないと判断することができる。
【００５０】
したがって、送信後のＶＩＴＣに誤りが存在しないとＶＩＴＣ誤り検出部１７が判断する場合においては、検証部１６によるＬＴＣの誤り検出の精度は高いと見なすことができる。そりため、ＶＩＴＣ誤り検出部１７と検証部１６との検証結果に基づいて次のような判断を下すことができる。
【００５１】
ＶＩＴＣ誤り検出部１７において、誤り有りと判断する場合には、送信後のＶＩＴＣに誤りがあると判断するとともに、検証部１６によるＬＴＣの誤り検出は不可能であると判断する。
【００５２】
一方、ＶＩＴＣ誤り検出部１７において、誤り無しと判断する場合には、送信後のＶＩＴＣに誤りがないと判断するとともに、検証部１６によるＬＴＣの誤り検出は精度の高いものであると判断する。
【００５３】
さらには、本実施形態のタイムコード伝送装置では、検算データの元となる被検算用情報や照合データの元となる被照合用情報の読み出し位置を一定に設定しているので、誤りの発生箇所を特定することも可能となる。
【００５４】
この場合、被検算用情報や被照合用情報の読み出しをフレーム毎に行っているので、ＬＴＣの誤りをフレーム単位で特定して検出することが可能となる。フレーム単位で誤りを検出できるのは、フォーマット変換を行う場合に次のような利点がある。１秒当たりのフレーム数が増加するフォーマット変換を実施する際においては、前述したようにフレーム影像データ中に有効フレームが散在した状態となる。そのため、場合によっては、有効フレーム毎に歩進するという、変則的なタイムコードを必要とする場合がある。そのようなタイムコードを伝送する場合においては、フレーム単位で誤りを検出できる本発明の伝送方法（伝送装置）は、特に有効となる。
【００５５】
このように本発明のタイムコード伝送装置では、従来、不可能であったＬＴＣの誤り検出を可能にすることができる。そのため、タイムコードの伝送中に生じる誤りの検出を可能にするうえに次のようなエラーを検出することができる。
【００５６】
伝送途中においてＶＩＴＣ（影像データも含む）に対して実施される編集処理や、伝送途中においてＬＴＣに対して実施される付け替え処理等を実施したために生じる影像とＬＴＣとの間の関係の不一致を検出することができる。このような不一致は、ＬＴＣのタイムコード成分と影像との間の関係の不一致だけではなく、ＬＴＣのユーザーズビットに書き込まれる影像補助情報と影像との間の関係の不一致も含まれる。
【００５７】
なお、上述した実施形態では、フレーム毎に検算データと照合データを作成したうえで両データを検証することで、ＬＴＣの誤りをフレーム単位に検出していたが、誤りの検出間隔はフレーム単位に限定されるものではなく、任意の間隔に設定することができるのはいうまでもない。また、上述した実施形態では、被検算用情報や被照合用情報を、それぞれ複数読み出して検算データや照合データを作成していたが、単一の被検算用情報や被照合用情報を読み出して検算データや照合データを作成してもよい。この場合には、検算データや照合データを作成するために演算処理を実施する必要はなく、被検算用情報や被照合用情報をそのまま検算データや照合データとして用いることができる。
【００５８】
【発明の効果】
以上説明したように、本発明によれば、、従来不可能であったＬＴＣの誤り検出を可能にすることができる。
【００５９】
また、、編集やダビング操作などによってＬＴＣとＶＩＴＣとのうちの一方に変更が加えられた場合においては、両タイムコードの間に関連性の不一致が生じる場合があるが、そのような関連性の不一致も本発明により判別することが可能となる。
【図面の簡単な説明】
【図１】本発明の一実施形態のタイムコード伝送装置の構成を示すブロック図である。
【符号の説明】
１  タイムコード伝送装置    ２  送信器  ３  受信器  ４  ＬＴＣ発生部
５  ＶＩＴＣ発生部      ６  映像補助情報発生部
７  第１重畳部      ８  第２重畳部
９  第１被検算用情報読出部    １０  検算データ作成部  １１  送信部
１２  受信部        １３  第２被検算用情報読出部
１４  照合データ作成部    １５  検算データ読出部  １６  検証部
１７  ＶＩＴＣ誤り検出部    １８  ＬＴＣ出力端子
１９  検証結果出力端子    ２０  ＶＩＴＣ出力端子
２１  ＶＩＴＣ誤り検出結果出力端子
２２  記録／再生装置
【図１】
0003881217.tif 000002